(57)【要約】      （修正有）【課題】ＩＰ電話から伝送されてくるデータ信号の種類を居室親機にて判別し、ＩＰ電話との間で通話が成立中の玄関子機からの音出力、玄関子機及びＩＰ電話間の通話路形成を行う。【解決手段】汎用ネットワーク４を経由してＩＰ電話５から伝送されてくるデータ信号を受信した居室親機３は、特定の周波数のパワースペクトラムを演算部３０７にて演算し、所定の閾値を超えた周波数スペクトラムをパワースペクトラム検知部３０８にて検知し、周波数スペクトラムの本数に応じて、データ信号の種類がＤＴＭＦ信号、無音信号又は音声信号であることを信号判定部３０９にて判別する。また、無音信号出力部３１０を制御して玄関子機１の子機スピーカ１０４からの出力を無音にする。さらに、玄関子機からＩＰ電話に音声信号を送信する一方向の通話ラインと、玄関子機及びＩＰ電話間で音声信号を送受信する双方向の通話ラインとのうち何れか１の当該通話ラインを形成する。【選択図】図１
2009010696.tif 000002
【特許請求の範囲】
【請求項１】
住戸外に設置され来訪者が住戸内に在室中の居住者を呼び出して通話を成立させるための音声信号を入出力する子機マイク（１０３）及び子機スピーカ（１０４）を備えた玄関子機（１）と、前記住戸内に設置され前記玄関子機からの呼び出しに応答した前記居住者が前記来訪者との間で通話を成立させるための前記音声信号を入出力する親機マイク（３０２）及び親機スピーカ（３０３）を備えた居室親機（３）と、汎用ネットワーク（４）により接続される前記居室親機を経由して前記玄関子機との間で通話を成立させるための前記音声信号を送受信するＩＰ電話（５）とを設け、
前記居室親機には、前記汎用ネットワークを経由して前記ＩＰ電話から伝送されてくるデータ信号の特定の周波数のパワースペクトラムを演算するための演算部（３０７）と、前記演算部の演算結果をもとに所定の閾値を超えた周波数スペクトラムを検知するためのパワースペクトラム検知部（３０８）と、前記パワースペクトラム検知部にて検知された周波数スペクトラムの本数に応じて、前記データ信号の種類がＤＴＭＦ信号、無音信号又は前記音声信号であることを判定するための信号判定部（３０９）とを備えたことを特徴とするインターホンシステム。
【請求項２】
前記居室親機の演算部は、ＧＯＥＲＴＺＥＬアルゴリズム演算部にて構成されることを特徴とする請求項１記載のインターホンシステム。
【請求項３】
前記居室親機の信号判定部は、前記パワースペクトラム検知部にて検知された周波数スペクトラムの本数をｎ（ここに、ｎは０及び正の整数。）とすると、ｎ＝２となる場合には前記データ信号が前記ＤＴＭＦ信号、ｎ＜２となる場合には前記データ信号が前記無音信号、ｎ＞２となる場合には前記データ信号が前記音声信号とそれぞれ判定することを特徴とする請求項１記載のインターホンシステム。
【請求項４】
前記居室親機には、前記信号判定部にて前記ＤＴＭＦ信号又は前記無音信号が判定されたとき、前記玄関子機の子機スピーカから無音信号を出力させるための無音信号出力部（３１０）を備えたことを特徴とする請求項１乃至請求項３のうち何れか１項記載のインターホンシステム。
【請求項５】
前記居室親機には、前記信号判定部の判定結果をもとに、前記玄関子機から前記ＩＰ電話に前記音声信号を送信する一方向の通話ラインと、前記玄関子機及び前記ＩＰ電話の間で前記音声信号を送受信する双方向の通話ラインとのうち何れか１の当該通話ラインを形成するためのＣＰＵ（３１１）を備えたことを特徴とする請求項１乃至請求項４のうち何れか１項記載のインターホンシステム。
【発明の詳細な説明】
【技術分野】
【０００１】
本発明はインターホンシステムに係り、特に、汎用ネットワークにより接続される居室親機を経由して玄関子機との間で通話を成立させるための音声信号を送受信するＩＰ電話を備えたインターホンシステムに関する。
【背景技術】
【０００２】
従来から、通話時に受信した音声信号中のＤＴＭＦ（Dual Tone Multi Frequency）音をデコードとして、その押しボタン番号を表示する機能を有する電話装置が開示されている（例えば、特許文献１を参照。）。
【０００３】
この電話装置として、デジタル信号により無線通信を行う携帯電話装置によれば、自機の押しボタンダイヤルの操作時にＤＴＭＦ音を鳴動させながらも、当該ＤＴＭＦ音の検出が一定時間停止するため、誤って自機で操作した押しボタンダイヤルの番号を表示してしまうことを確実に防止することができる。
【０００４】
【特許文献１】特開平８―１０２７９８号公報（段落番号［００１７］乃至［００２５］等、第１図、第２図）
【発明の開示】
【発明が解決しようとする課題】
【０００５】
しかしながら、背景技術に記載した特許文献１の電話装置によれば、マイクロホン及びスピーカの使用により成立される通話音声中において、アンテナで電波が受信されると、この電波を信号処理したＤＴＭＦ音がスピーカから鳴動されるため、快適な通話の維持が困難となる虞があった。
【０００６】
本発明は、この難点を解消するためになされたもので、汎用ネットワークを経由してＩＰ電話から伝送されてくるデータ信号の種類を居室親機にて判別し、判別されたデータ信号に対応して、ＩＰ電話との間で通話が成立中の玄関子機からの音出力の制御、玄関子機及びＩＰ電話間の通話路形成の制御をそれぞれ行うことができるインターホンシステムを提供することを目的としている。
【課題を解決するための手段】
【０００７】
前述の目的を達成するため、本発明の第１の態様であるインターホンシステムは、住戸外に設置され来訪者が住戸内に在室中の居住者を呼び出して通話を成立させるための音声信号を入出力する子機マイク及び子機スピーカを備えた玄関子機と、住戸内に設置され玄関子機からの呼び出しに応答した居住者が来訪者との間で通話を成立させるための音声信号を入出力する親機マイク及び親機スピーカを備えた居室親機と、汎用ネットワークにより接続される居室親機を経由して玄関子機との間で通話を成立させるための音声信号を送受信するＩＰ電話とを設けたものである。居室親機には、汎用ネットワークを経由してＩＰ電話から伝送されてくるデータ信号の特定の周波数のパワースペクトラムを演算するための演算部と、演算部の演算結果をもとに所定の閾値を超えた周波数スペクトラムを検知するためのパワースペクトラム検知部と、パワースペクトラム検知部にて検知された周波数スペクトラムの本数に応じて、データ信号の種類がＤＴＭＦ信号、無音信号又は音声信号であることを判定するための信号判定部とを備えている。
【０００８】
また、本発明の第２の態様であるインターホンシステムは、本発明の第１の態様において、居室親機の演算部は、ＧＯＥＲＴＺＥＬアルゴリズム演算部にて構成されるものである。
【０００９】
また、本発明の第３の態様であるインターホンシステムは、本発明の第１の態様において、居室親機の信号判定部は、パワースペクトラム検知部にて検知された周波数スペクトラムの本数をｎ（ここに、ｎは０及び正の整数。）とすると、ｎ＝２となる場合にはデータ信号がＤＴＭＦ信号、ｎ＜２となる場合にはデータ信号が無音信号、ｎ＞２となる場合にはデータ信号が音声信号とそれぞれ判定するものである。
【００１０】
また、本発明の第４の態様であるインターホンシステムは、本発明の第１乃至第３の各態様のうち何れか１の態様において、居室親機には、信号判定部にてＤＴＭＦ信号又は無音信号が判定されたとき、玄関子機の子機スピーカから無音信号を出力させるための無音信号出力部を備えている。
【００１１】
また、本発明の第５の態様であるインターホンシステムは、本発明の第１乃至第４の各態様のうち何れか１の態様において、居室親機には、信号判定部の判定結果をもとに、玄関子機からＩＰ電話に音声信号を送信する一方向の通話ラインと、玄関子機及びＩＰ電話の間で音声信号を送受信する双方向の通話ラインとのうち何れか１の当該通話ラインを形成するためのＣＰＵを備えている。
【発明の効果】
【００１２】
本発明のインターホンシステムによれば、玄関子機の子機マイク及び子機スピーカと、居室親機、汎用ネットワークを経由してＩＰ電話との間で音声信号が送受信される通話の成立中において、汎用ネットワークを経由してＩＰ電話から伝送されてくるデータ信号を受信した居室親機は、データ信号の特定の周波数のパワースペクトラムを演算部にて演算し、演算部の演算結果をもとに所定の閾値を超えた周波数スペクトラムをパワースペクトラム検知部にて検知し、パワースペクトラム検知部にて検知された周波数スペクトラムの本数に応じて、データ信号の種類がＤＴＭＦ信号、無音信号又は音声信号であることを信号判定部にて判別することができる。
【００１３】
また、本発明のインターホンシステムによれば、居室親機のＣＰＵは、信号判定部にてＤＴＭＦ信号又は無音信号が判別されたとき、無音信号出力部を制御して子機スピーカからの出力を無音にすることができる。これにより、例えば、ＩＰ電話での電気錠の解錠操作によって発生するＤＴＭＦ音が子機スピーカから出力されることはなく、玄関子機の利用者である来訪者に不快感を与えずに電気錠を解錠することができる。
【００１４】
さらに、本発明のインターホンシステムによれば、居室親機のＣＰＵは、信号判定部の判定結果をもとに、玄関子機からＩＰ電話に音声信号を送信する一方向の通話ラインと、玄関子機及びＩＰ電話間で音声信号を送受信する双方向の通話ラインとのうち何れか１の当該通話ラインを形成することができる。
【発明を実施するための最良の形態】
【００１５】
以下、本発明のインターホンシステムを適用した最良の実施の形態例について、図面を参照して説明する。
【００１６】
図１は、本発明の実施例によるインターホンシステムの具体的な構成を示すブロック図である。このインターホンシステムには、住戸外に設置され来訪者が住戸内に在室中の居住者を呼び出して通話を成立させるための玄関子機１と、当該住戸の玄関戸を施錠又は解錠するための電気錠２と、住戸内に設置され、伝送路Ｌ1を経由して接続される玄関子機１からの呼び出しに応答した居住者が来訪者との間で通話を成立させるとともに、伝送路Ｌ2を経由して接続される電気錠２を施錠又は解錠するための居室親機３と、電話回線、ＩＳＤＮ、ＡＤＳＬ、光ケーブル等の各種の通信手段から構成される汎用ネットワーク４と、汎用ネットワーク４により接続される居室親機３を経由して玄関子機１との間で通話を成立させるためのＩＰ電話５とが設けられており、このＩＰ電話５には、電気錠２を施錠又は解錠するための機能が備えられている。
【００１７】
玄関子機１には、子機操作部１００、カメラ１０１、子機映像処理部１０２、子機マイク１０３、子機スピーカ１０４、子機通話部１０５及び子機Ｉ／Ｆ（インターフェース）１０６が備えられている。
【００１８】
この玄関子機１において、子機操作部１００は、来訪者が居住者を呼び出すために操作するものであり、例えば、呼出ボタンが好適とされる。
【００１９】
カメラ１０１は、呼出操作を行った来訪者の映像や住戸外の周囲近傍の映像（監視映像）を撮像するためのものであり、例えば、ＣＣＤ、ＣＭＯＳ等の各種の撮像媒体が好適とされる。また、子機映像処理部１０２は、カメラ１０１にて撮像された映像である電気信号の映像信号を信号処理する、例えば、ＦＭ変調、増幅を行うためのものである。
【００２０】
子機マイク１０３及び子機スピーカ１０４は、居室親機３の利用者である居住者又はＩＰ電話５の利用者との間において、来訪者が通話を成立させるための音声（送話音声、受話音声）を入出力するものである。また、子機通話部１０５は、子機マイク１０３及び子機スピーカ１０４にて入出力される音声（送話音声、受話音声）である電気信号の音声信号を信号処理する、例えば、４線／２線変換又は２線／４線変換、増幅を行うとともに、子機スピーカ１０４に送出される無音信号を信号処理する、例えば、２線／４線変換を行うためのものである。
【００２１】
子機Ｉ／Ｆ１０６は、子機操作部１００から伝送路Ｌ1への信号伝送ライン、子機映像処理部１０２から伝送路Ｌ1への信号伝送ライン、子機通話部１０５及び伝送路Ｌ1の間の信号伝送ライン（通話ライン）をそれぞれ形成するためのものである。
【００２２】
また、居室親機３には、親機モニタ３００、親機映像処理部３０１、親機マイク３０２、親機スピーカ３０３、親機通話部３０４、コーデック部３０５、親機操作部３０６、演算部３０７、パワースペクトラム検知部３０８、信号判定部３０９、無音信号出力部３１０、ＣＰＵ３１１、子機側親機Ｉ／Ｆ３１２、電気錠側親機Ｉ／Ｆ３１３及びネットワーク側親機Ｉ／Ｆ３１４が備えられている。
【００２３】
この居室親機３において、親機モニタ３００は、ＣＰＵ３１１により制御され、来訪者による玄関子機１からの呼び出しがあることを示す呼出表示、玄関子機１のカメラ１０１にて撮像された映像を出画する映像出画をそれぞれ行うものであり、例えば、ＬＣＤ、ＰＤＰ、ＳＥＤ、有機ＥＬディスプレイ等の各種の出画表示媒体が好適とされる。また、親機映像処理部３０１は、ＣＰＵ３１１により制御され、伝送路Ｌ1を経由して玄関子機１から伝送されてくる映像信号を信号処理する、例えば、ＦＭ復調、増幅を行い、玄関子機１のカメラ１０１にて撮像された映像を親機モニタ３００に出画させるためのものである。
【００２４】
親機マイク３０２及び親機スピーカ３０３は、居住者が来訪者との間で通話を成立させるための音声（送話音声、受話音声）を入出力するものであり、親機スピーカ３０３は、前述の通話機能のみならず、来訪者による玄関子機１からの呼び出しがあることを示す呼出報知を行うことができる。また、親機通話部３０４は、ＣＰＵ３１１により制御され、親機マイク３０２及び親機スピーカ３０３にて入出力される音声（送話音声、受話音声）である電気信号の音声信号を信号処理する、例えば、４線／２線変換又は２線／４線変換、増幅を行うとともに、後述するコーデック部３０５に送出される玄関子機１からの音声信号を信号処理する、例えば、２線／４線変換、増幅を行い、さらには、後述するコーデック部３０５を経由してＤ／Ａ（デジタル／アナログ）変換されたＩＰ電話５からの音声信号又は後述する無音信号出力部３１０にて生成されコーデック部３０５を経由して伝送されてくる無音信号を信号処理する、例えば、４線／２線変換、増幅を行うためのものである。さらに、コーデック部３０５は、ＣＰＵ３１１により制御され、親機通話部３０４を経由して伝送されてくる玄関子機１からの音声信号をＡ／Ｄ（アナログ／デジタル）変換してネットワーク側親機Ｉ／Ｆ３１４に送出するとともに、ネットワーク側親機Ｉ／Ｆ３１４を経由して伝送されてくるＩＰ電話５からの音声信号又は後述する無音信号出力部３１０にて生成された無音信号をＤ／Ａ変換して親機通話部３０４に送出するもためのものである。
【００２５】
親機操作部３０６は、ＣＰＵ３１１により操作検出され、来訪者による玄関子機１からの呼び出しがあることを確認した居住者が応答し、親機マイク３０２及び親機スピーカ３０３の使用による通話を成立させるための応答操作、又は成立中の通話を終了するための終話操作等を行うものであり、例えば、通話ボタン等が好適とされる。この親機操作部３０６としては、居室親機３の前面に設けられる押圧ボタンや親機モニタ３００の前面に設けられるタッチパネルが好適とされる。
【００２６】
演算部３０７は、ＣＰＵ３１１により制御され、汎用ネットワーク４を経由してＩＰ電話５から伝送されてくるデータ信号の特定の周波数のパワースペクトラムを演算するためのものであり、例えば、ＧＯＥＲＴＺＥＬアルゴリズム演算部が好適とされる。また、パワースペクトラム演算部３０８は、ＣＰＵ３１１により制御され、演算部３０７の演算結果をもとに所定の閾値を超えた周波数スペクトラムを検知するためのものである。また、信号判定部３０９は、ＣＰＵ３１１により制御され、パワースペクトラム検知部３０８にて検知された周波数スペクトラムの本数に応じて、データ信号の種類がＤＴＭＦ信号、無音信号又は音声信号であることを判別するためのものであり、この判別結果は、ＣＰＵ３１１に送出される。さらに、無音信号出力部３１０は、ＣＰＵ３１１により制御され、信号判定部３０９にてＤＴＭＦ信号又は無音信号が判定されたとき、玄関子機１の子機スピーカ１０４から無音信号を出力させるためのものであり、この無音信号は、コーデック部３０５に送出される。
【００２７】
ＣＰＵ３１１は、居室親機３の構成各部／回路を制御するとともに、電気錠２を施錠又は解錠するための制御機能が備えられている。具体的な制御としては、信号判定部３０９の判定結果をもとに親機通話部３０４及びコーデック部３０５をそれぞれ制御し、玄関子機１から汎用ネットワーク４を経由してＩＰ電話５に音声信号を送信する一方向の通話ラインと、汎用ネットワーク４を経由して玄関子機１及びＩＰ電話５の間で音声信号を送受信する双方向の通話ラインとのうち何れか１の当該通話ラインを形成することができる。
【００２８】
子機側親機Ｉ／Ｆ３１２は、伝送路Ｌ1から親機映像処理部３０１への信号伝送ライン、伝送路Ｌ1から親機通話部３０４への一方向の通話ラインと伝送路Ｌ1及び親機通話部３０４の間の双方向の通話ラインとのうち何れか１の通話ライン、ＣＰＵ３１１及び伝送路Ｌ1の間の信号伝送ラインをそれぞれ形成するためのものである。また、電気錠側親機Ｉ／Ｆ３１３は、ＣＰＵ３１１及び伝送路Ｌ2の間の信号伝送ラインを形成するためのものである。さらに、ネットワーク側親機Ｉ／Ｆ３１４は、コーデック部３０５から汎用ネットワーク４への一方向の通話ラインとコーデック部３０５及び汎用ネットワーク４間の双方向の通話ラインとのうち何れか１の当該通話ライン、汎用ネットワーク４から演算部３０７への信号伝送ライン、ＣＰＵ３１１及び汎用ネットワーク４の間の信号伝送ラインをそれぞれ形成するためのものである。
【００２９】
さらに、ＩＰ電話５には、電話モニタ５００、電話マイク５０１、電話スピーカ５０２及び電話操作部５０３が備えられている。
【００３０】
このＩＰ電話５において、電話モニタ５００は、来訪者による玄関子機１からの呼び出しがあることを示す呼出表示、玄関子機１のカメラ１０１にて撮像された映像を出画する映像出画をそれぞれ行うものであり、例えば、ＬＣＤ、ＰＤＰ、ＳＥＤ、有機ＥＬディスプレイ等の各種の出画表示媒体が好適とされる。
【００３１】
電話マイク５０１及び電話スピーカ５０２は、ＩＰ電話５の利用者が来訪者との間で通話を成立させるための音声（送話音声、受話音声）を入出力するものであり、電話スピーカ５０２は、前述の通話機能のみならず、来訪者による玄関子機１からの呼び出しがあることを示す呼出報知を行うことができる。
【００３２】
電話操作部５０３は、来訪者による玄関子機１からの呼び出しがあることを確認したイＰ電話５の利用者が応答し、電話マイク５０１及び電話スピーカ５０２の使用による通話を成立させるための応答操作、又は成立中の通話を終了するための終話操作や、電気錠２を施錠又は解錠するための電気錠操作等を行うものであり、例えば、通話ボタン、テンキーボタン等が好適とされる。この電話操作部５０３としては、ＩＰ電話５の操作面に設けられる押圧ボタンや電話モニタ５００の前面に設けられるタッチパネルが好適とされる。
【００３３】
このように構成された本発明の実施例によるインターホンシステムにおいて、以下、具体的な動作について、図１、図２及び図３（ａ）、（ｂ）、（ｃ）、（ｄ）、（ｅ）をそれぞれ参照して説明する。なお、図２は、汎用ネットワーク４を経由してＩＰ電話５から居室親機３に伝送されてくるデータ信号と、このデータの種類に対応させた玄関子機１（の子機スピーカ１０４）からの出力レベルとの関係の一例を示す説明図である。また、図３（ａ）、（ｂ）、（ｃ）、（ｄ）、（ｅ）はそれぞれ、汎用ネットワーク４を経由してＩＰ電話５から居室親機３に伝送されてくるデータ信号の種類毎の信号処理を示す説明図である。
【００３４】
図１において、居室親機３が設置された住戸内に在室中の居住者を呼び出すために、住戸外に居る来訪者が玄関子機１の子機操作部１００を使用して所定の呼出操作を行うと、この子機操作部１００にて生成された呼出信号が、子機Ｉ／Ｆ１０６、伝送路Ｌ1、居室親機３の子機側親機Ｉ／Ｆ３１２を経由してＣＰＵ３１１に伝送されるとともに、カメラ１０１及び子機映像処理部１０２がそれぞれ能動となる。また、カメラ１０１は、呼出操作を行った来訪者の映像の撮像を開始する。この映像は、電気信号の映像信号に信号処理され、子機映像処理部１０２にて例えば、ＦＭ変調、増幅された後、子機Ｉ／Ｆ１０６、伝送路Ｌ1、居室親機３の子機側親機Ｉ／Ｆ３１２を経由して親機映像処理部３０１に伝送される。
【００３５】
居室親機３のＣＰＵ３１１は、伝送路Ｌ1を経由して玄関子機１から伝送されてきた呼出信号を受信すると、来訪者による玄関子機１からの呼び出しがある旨の呼出音や音声メッセージ等を親機スピーカ３０３から出力させるとともに、親機モニタ３００及び親機映像処理部３０１がそれぞれ能動となるように制御することができる。この制御により、親機モニタ３００には、親機映像処理部３０１にて例えば、ＦＭ復調、増幅された映像信号、すなわち、玄関子機１のカメラ１０１にて撮像された来訪者の映像が出画されることになる。また、ＣＰＵ３１１は、前述の呼出報知及び映像出画の各動作と同時に、伝送路Ｌ1を経由して玄関子機１から伝送されてきた呼出信号と映像信号とをそれぞれ、ネットワーク側親機Ｉ／Ｆ３１４、汎用ネットワーク４を経由してＩＰ電話５に転送することができる。
【００３６】
ＩＰ電話５は、汎用ネットワーク４を経由して居室親機３から転送されてきた呼出信号を受信すると、来訪者による玄関子機１からの呼び出しがある旨の呼出音や音声メッセージ等を電話スピーカ５０２から出力させるとともに、同様に受信された映像信号をもとに、玄関子機１のカメラ１０１にて撮像された来訪者の映像を電話モニタ５００に出画することができる。
【００３７】
なお、居室親機３の親機モニタ３００及びＩＰ電話５の電話モニタ５００にはそれぞれ、玄関子機１のカメラ１０１にて撮像された来訪者の映像の出画のみならず、来訪者による玄関子機１からの呼び出しがある旨の呼出メッセージや絵データ等を表示させることもできる。
【００３８】
この後、来訪者による玄関子機１からの呼び出しがあることを確認できた居住者及びＩＰ電話５の利用者のうち、最先に応答した人物、例えば、居住者が居室親機３の親機操作部３０６を使用して所定の応答操作を行うと、この操作を検出したＣＰＵ３１１は、親機通話部３０４及び玄関子機１の子機通話部１０５がそれぞれ能動となるように制御することができる。この制御により、来訪者が使用する玄関子機１の子機マイク１０３及び子機スピーカ１０４と、子機通話部１０５、子機Ｉ／Ｆ１０６、伝送路Ｌ1、居室親機３の子機側親機Ｉ／Ｆ３１２、親機通話部３０４を経由して居住者が使用する親機マイク３０２及び親機スピーカ３０３との間の双方向の通話ラインが形成され、形成された通話ラインを経由して音声信号を送受信させることで通話が成立し、特に、居住者にとっては、親機モニタ３００に出画されている来訪者の映像を確認しながらの通話が可能となる。
【００３９】
一方、最先に応答した人物であるＩＰ電話５の利用者が電話操作部５０３を使用して所定の応答操作を行うと、応答信号が生成される。この応答信号は、ＩＰ電話５から汎用ネットワーク４、居室親機３のネットワーク側親機Ｉ／Ｆ３１４を経由してＣＰＵ３１１に伝送される。
【００４０】
居室親機３のＣＰＵ３１１は、汎用ネットワーク４を経由してＩＰ電話５から伝送されてきた応答信号を受信すると、親機通話部３０４、コーデック部３０５及び玄関子機１の子機通話部１０５がそれぞれ能動となるように制御することができる。この制御により、来訪者が使用する玄関子機１の子機マイク１０３及び子機スピーカ１０４と、子機通話部１０５、子機Ｉ／Ｆ１０６、伝送路Ｌ1、居室親機３の子機側親機Ｉ／Ｆ３１２、親機通話部３０４、コーデック３０５、ネットワーク側親機Ｉ／Ｆ３１４、汎用ネットワーク４を経由してＩＰ電話５の利用者が使用する電話マイク５０１及び電話スピーカ５０２との間の双方向の通話ラインが形成される。また、ＣＰＵ３１１は、同様に応答信号を受信すると、演算部３０７、パワースペクトラム検知部３０８及び信号判定部３０９がそれぞれ能動となるように制御することができる。
【００４１】
次に、玄関子機１及びＩＰ電話５の間の双方向の通話ラインが前述のよう形成されている場合において、ＩＰ電話５からのデータ信号が汎用ネットワーク４を経由して居室親機３のネットワーク側親機Ｉ／Ｆ３１４に伝送されてくると、このデータ信号を受信した演算部３０７は、データ信号を所定の時間毎、例えば、図２に示す２０ｍｓ毎、時間Ｔ1、Ｔ2、Ｔ3、Ｔ4、Ｔ5のように時系列で区切り、特定の周波数、例えば、図３（ａ）、（ｂ）、（ｃ）、（ｄ）、（ｅ）にそれぞれ示す例えば、６９７Ｈｚ〜１６３３Ｈｚの間のパワースペクトラムを演算することができる。
【００４２】
また、居室親機３のパワースペクトラム検知部３０８は、演算部３０７の演算結果をもとに、図３（ａ）、（ｂ）、（ｃ）、（ｄ）、（ｅ）にそれぞれ示す所定の閾値を超えた周波数スペクトラムを検知することができる。
【００４３】
また、居室親機３の信号判定部３０９は、パワースペクトラム検知部３０８の検知結果をもとに、所定の閾値を超えた周波数スペクトラムの本数ｎ（ここに、ｎは０及び正の整数。）を確認する。ここでは、時間Ｔ1における周波数スペクトラムの本数ｎが図３（ａ）に示すように「４本」、同様に、時間Ｔ2におけるパワースペクトラムの本数ｎが図３（ｂ）に示すように「６本」、時間Ｔ3におけるパワースペクトラムの本数ｎが図３（ｃ）に示すように「８本」、時間Ｔ4におけるパワースペクトラムの本数ｎが図３（ｄ）に示すように「２本」、時間Ｔ5におけるパワースペクトラムの本数ｎが図３（ｅ）に示すように「０本」であることをそれぞれ確認することができる。
【００４４】
さらに、居室親機３の信号判定部３０９は、時間Ｔ1、Ｔ2、Ｔ3、Ｔ4、Ｔ5の各時間における周波数スペクトラムの本数ｎをもとに、この本数ｎがｎ＞２、ｎ＝２、ｎ＜２となる３つの異なる態様に対応させて、時間Ｔ1、Ｔ2、Ｔ3の各時間におけるデータ信号が音声信号、同様に、時間Ｔ4におけるデータ信号がＤＴＭＦ信号、例えば、電気錠２を解錠させるためのＤＴＭＦ信号、時間Ｔ5におけるデータ信号が無音信号であることをそれぞれ判別し、その旨の信号判別情報をＣＰＵ３１１に送出することができる。
【００４５】
次に、居室親機３のＣＰＵ３１１は、汎用ネットワーク４を経由してＩＰ電話５から伝送されてきたデータ信号が音声信号であるとの信号判別情報を受信すると、図２に示す時間Ｔ1、Ｔ2、Ｔ3の各時間内、親機通話部３０４、コーデック部３０５及び玄関子機１の子機通話部１０５をそれぞれ制御し、汎用ネットワーク４を経由して玄関子機１及びＩＰ電話５の間で音声信号を送受信する双方向の通話ラインを形成することができる。この制御により、形成された通話ラインを経由して音声信号を送受信させることで通話が成立し、特に、ＩＰ電話５の利用者にとっては、電話モニタ５００に出画されている来訪者の映像を確認しながらの通話が可能となる。
【００４６】
また、居室親機３のＣＰＵ３１１は、汎用ネットワーク４を経由してＩＰ電話５から伝送されてきたデータ信号がＤＴＭＦ信号であるとの信号判別情報を受信すると、図２に示す時間Ｔ4内、電気錠２を解錠させるための解錠制御信号を生成し、電気錠側親機Ｉ／Ｆ３１３、伝送路Ｌ2を経由して電気錠２に送出するとともに、同様な時間Ｔ4内、無音信号出力部３１０が能動となるように制御することができる。ここで、解錠制御信号を受信した電気錠２は、時間Ｔ4内において解錠状態となる。また、無音信号出力部３１０は、無音信号を生成し、コーデック部３０５、親機通話部３０４、子機側親機Ｉ／Ｆ３１２、伝送路Ｌ1、玄関子機１の子機Ｉ／Ｆ１０６、子機通話部１０５を経由して子機スピーカ１０４に送出することにより、この時間Ｔ4内において子機スピーカ１０４からは、ＩＰ電話５の利用者による音声（受話音声）のみが出力され、ＤＴＭＦ音が無音状態となるため、来訪者に不快感を与えることなく電気錠２の解錠が可能となる。
【００４７】
また、居室親機３のＣＰＵ３１１は、汎用ネットワーク４を経由してＩＰ電話５から伝送されてきたデータ信号が無音信号であるとの信号判別情報を受信すると、図２に示す時間Ｔ5内、無音信号出力部３１０が能動となるように制御することができる。ここで、無音信号出力部３１０は、無音信号を生成し、コーデック部３０５、親機通話部３０４、子機側親機Ｉ／Ｆ３１２、伝送路Ｌ1、玄関子機の子機Ｉ／Ｆ１０６、子機通話部１０５を経由して子機スピーカ１０４に送出することにより、この時間Ｔ5内において子機スピーカ１０４からの出力は、無音状態となる。
【００４８】
さらに、居室親機３のＣＰＵ３１１は、汎用ネットワーク４を経由してＩＰ電話５から伝送されてきたデータ信号がＤＴＭＦ信号又は無音信号であるとの信号判別情報を受信すると、前述までの制御のように子機スピーカ１０４からの出力を無音状態とするばかりでなく、親機通話部３０４、コーデック部３０５及び玄関子機１の子機通話部１０５をそれぞれ制御し、玄関子機１から居室親機３、汎用ネットワーク４を経由してＩＰ電話５に音声信号を送信する一方向の通話ラインを形成することもできる。
【００４９】
なお、汎用ネットワーク４を経由してＩＰ電話５からのデータ信号が居室親機３のネットワーク側親機Ｉ／Ｆ３１４に伝送されてきたとき、このデータ信号を受信した演算部３０７が所定の時間毎、特定の周波数の間のパワースペクトラムを演算するにあたっては、通常、図２に示す時間Ｔ1及びＴ2の間、時間Ｔ2及びＴ3の間、時間Ｔ3及びＴ4の間、時間Ｔ4及びＴ5の間で若干のタイムラグが発生し、リアルタイムの処理が困難とされるため、このタイムラグに応じて、玄関子機１の子機スピーカ１０４からの出力は遅延を伴って行われる。
【００５０】
前述までの説明から明らかなように、本発明の実施例によるインターホンシステムにおいては、玄関子機１の子機マイク１０３及び子機スピーカ１０４と、居室親機３、汎用ネットワーク４を経由してＩＰ電話５との間で音声信号が送受信される通話の成立中において、汎用ネットワーク４を経由してＩＰ電話５から伝送されてくるデータ信号を受信した居室親機３は、データ信号の特定の周波数のパワースペクトラムを演算部３０７にて演算し、演算部３０７の演算結果をもとに所定の閾値を超えた周波数スペクトラムをパワースペクトラム検知部３０８にて検知し、パワースペクトラム検知部３０８にて検知された周波数スペクトラムの本数に応じて、データ信号の種類がＤＴＭＦ信号、無音信号又は音声信号であることを信号判定部３０９にて判別することができる。また、居室親機３のＣＰＵ３１１は、信号判定部３０９にてＤＴＭＦ信号又は無音信号が判別されたとき、無音信号出力部３１０を制御して子機スピーカ１０４からの出力を無音にすることができる。これにより、例えば、ＩＰ電話５での電気錠２の解錠操作によって発生するＤＴＭＦ音が子機スピーカ１０４から出力されることはなく、玄関子機１の利用者である来訪者に不快感を与えずに電気錠２を解錠することができる。さらに、居室親機３のＣＰＵ３１１は、信号判定部３０９の判定結果をもとに、玄関子機１からＩＰ電話５に音声信号を送信する一方向の通話ラインと、玄関子機１及びＩＰ電話５の間で音声信号を送受信する双方向の通話ラインとのうち何れか１の当該通話ラインを形成することができる。
【００５１】
また、本発明の実施例によるインターホンシステムにおいては、居室親機３の演算部３０７、パワースペクトラム検知部３０８及び信号判定部３０９をそれぞれ、個別の構成部（ハードウェア）として居室親機３に備える態様について説明したが、この態様に限定されるものではない。例えば、演算部３０７、パワースペクトラム検知部３０８及び信号判定部３０９がそれぞれ有する機能をソフトウェアとしてＣＰＵ３１１に備えることもできる。この態様によれば、演算部３０７、パワースペクトラム検知部３０８及び信号判定部３０９を構成部（ハードウェア）として居室親機３に備える必要がないため、居室親機３の構成を簡素化することができる。
【００５２】
また、本発明の実施例によるインターホンシステムにおいては、電気錠２を施錠又は解錠させるための機能を、居室親機３のＣＰＵ３１１に備えた態様について説明したが、この態様に限定されるものではない。例えば、電気錠２を施錠又は解錠させるための機器として、居室親機３のＣＰＵ３１１の制御により駆動される電気錠コントローラ（図示せず。）を伝送路Ｌ2の線路上に設けることもできる。
【００５３】
さらに、本発明の実施例によるインターホンシステムにおいては、汎用ネットワーク４を経由してＩＰ電話５から居室親機３に伝送されてくるＤＴＭＦ信号として、電気錠２を解錠させるための解錠信号を適用したが、この態様に限定されるものではない。例えば、玄関子機１のカメラ１０１にパン機能やチルト機能が備えられている場合には、ＩＰ電話５から居室親機３に伝送されてくるＤＴＭＦ信号を、パン制御信号及び／又はチルト制御信号として用いることができる。
【００５４】
最後に、本発明のインターホンシステムにおいては、特定の実施の形態をもって説明してきたが、この形態に限定されるものでなく、本発明の効果を奏する限り、これまで知られた如何なる構成のインターホンシステム、例えば、映像の撮像／処理機能（１０１、１０２）が不備とされる当該玄関子機及び映像の出画／処理機能（３００、３０１）が不備とされる当該居室親機を有するインターホンシステムであっても採用できるということはいうまでもないことである。
【図面の簡単な説明】
【００５５】
【図１】図１は、本発明の実施例によるインターホンシステムの具体的な構成を示すブロック図である。
【図２】図２は、本発明の実施例によるインターホンシステムにおいて、汎用ネットワークを経由してＩＰ電話から居室親機に伝送されてくるデータ信号と、このデータの種類に対応させた玄関子機（の子機スピーカ）からの出力レベルとの関係の一例を示す説明図である。
【図３】図３（ａ）、（ｂ）、（ｃ）、（ｄ）、（ｅ）はそれぞれ、本発明の実施例によるインターホンシステムにおいて、汎用ネットワークを経由してＩＰ電話から居室親機に伝送されてくるデータ信号の種類毎の信号処理を示す説明図である。
【符号の説明】
【００５６】
１……玄関子機
１０３……子機マイク
１０４……子機スピーカ
３……居室親機
３０２……親機マイク
３０３……親機スピーカ
３０７……演算部
３０８……パワースペクトラム検知部
３０９……信号判定部
３１０……無音信号出力部
３１１……ＣＰＵ
４……汎用ネットワーク
５……ＩＰ電話
【図１】
2009010696.tif 000003
【図２】
2009010696.tif 000004
【図３】
2009010696.tif 000005